(57)【特許請求の範囲】
【請求項１】
裏面が平面状に形成された天板と、
前記天板の前端と面一または前記天板の前端より引っ込められた位置で前記天板の裏面に固定された前框と、
前記前框の背面側で間隙を介して前記天板に固定された裏貼り部と、
前記間隙に充填されて前記天板と前框と裏貼り部を互いに固定する接着剤層と、
前記前框の背面に一の面が固定され且つ他の面が前記接着剤層を覆って前記裏貼り部に固定された前見付け部と、を備え、
前記接着剤層は、前記間隙に加えて、前記前框の背面と前記天板に当接する接合面との角部を一部切除してなる切除部にも設けられていることを特徴とする天板構造。
【請求項２】
天板の前端と面一または前記天板の前端より引っ込められた位置で前記天板の平面状に形成された裏面に前框を接着剤で接着する工程と、
前記前框の背面側に間隙を開けて裏貼り部を前記天板の裏面に接着する工程と、
前記間隙に接着剤を充填して前記前框と天板と裏貼り部を固定する接着剤層を形成する工程と、
前記前框の背面と裏貼り部とに前見付け部を接着して前記間隙の接着剤層を覆う工程と、を備え、
前記前框の背面と前記天板に当接する接合面との角部を予め切除してなる切除部が前記間隙と一体に形成されていて、前記切除部にも前記接着剤層の接着剤が充填されていることを特徴とする天板構造の製造方法。
【発明の詳細な説明】
【技術分野】
【０００１】
本発明は、例えばシステムキッチンの流し台等におけるセラミックや天然大理石等の各種材料による天板と前框を備えた天板構造とその製造方法に関する。
【背景技術】
【０００２】
従来、システムキッチン等の流し台の天板構造（ワークトップカウンター）では天板に人造大理石の天板を設けたものが広く知られている。例えば流し台の天板構造として人造大理石の天板とその前面に設けた前框との連結に際し、前框の背面に形成した凹部と天板の前端部に形成した凸部とにそれぞれ接着剤を塗布し、前框の凹部に天板の凸部を嵌合接着させて一体化したものが知られている。そして、接着剤の硬化後に凸部と凹部の嵌合部からはみ出た接着剤を研磨することできれいに仕上がる。
【０００３】
また、別の天板構造として、例えば特許文献１に記載されたものが提案されている。この天板構造では、天板として板状の人造大理石からなる天板における上面の前縁部に返り縁が形成され、後縁部にバックガードが形成されている。この天板の裏面における前縁部と後縁部にそれぞれ合板からなる桟を接着によって固定し、前縁部の桟の前面側に人造大理石からなる前框を接着剤で固定している。
【０００４】
また、特許文献２に記載された流し台の天板構造では、前框を前面に取り付けた前部芯材と後部芯材に跨って繊維強化プラスチック製補強層の上面にセラミック天板を載置し、後部芯材の上の繊維強化プラスチック製補強層上にセラミックバックガードを起立状態で取り付けている。そして、前框及びセラミック天板の間と、セラミック天板及びセラミックバックガードの間にエポキシ樹脂からなる目地材を充填してカウンタを組み立てている。
【先行技術文献】
【特許文献】
【０００５】
【特許文献１】実公平２−３０９８６号公報
【特許文献２】特公平６−２６５２３号公報
【発明の概要】
【発明が解決しようとする課題】
【０００６】
しかしながら、上述した人造大理石の天板と前框を凹凸嵌合させた天板構造は、取り付け強度を増大させるために前框の凹部と天板の凸部を形成し、互いに嵌合して接着固定しているが、天板や前框が人造大理石よりも高硬度材料のセラミック製等であると、凹部や凸部の加工が困難であった。しかも接合部の研磨を行うと釉薬が除去されて表面の意匠性が低下してしまうため、研磨仕上げも困難であった。
【０００７】
また、特許文献１に記載された天板構造では、人造大理石の天板と前框を合板製の桟と接着剤で接合するにすぎないため、上述した凹凸嵌合構造と比較して接着強度が小さいという欠点があった。
また、特許文献２に記載された天板構造では、天板やバックガードを人造大理石よりも高硬度のセラミックで製作したので凹部や凸部等の加工が一層困難であった。そのため、天板やバックガードは平板状に形成して補強層の上に載置し、これらの隙間にエポキシ樹脂等からなる目地材を充填して固定せざるを得なかった。そのため、凹凸嵌合と比較して、上記特許文献１記載の天板構造と同様に接着強度が小さいという欠点があった。
【０００８】
本発明は、このような課題に鑑みてなされたものであって、凹凸嵌合等することなく、天板や前框を高強度で固定できるようにした天板構造とその製造方法を提供することを目的とする。
【課題を解決するための手段】
【０００９】
本発明による天板構造は、裏面が平面状に形成された天板と、前記天板の前端と面一または前記天板の前端より引っ込められた位置で前記天板の裏面に固定された前框と、前框の背面側で間隙を介して天板に固定した裏貼り部と、間隙に充填されて天板と前框と裏貼り部を互いに固定する接着剤層と、前記前框の背面に一の面が固定され且つ他の面が前記接着剤層を覆って前記裏貼り部に固定された前見付け部と、を備え、前記接着剤層は、前記間隙に加えて、前記前框の背面と前記天板に当接する接合面との角部を一部切除してなる切除部にも設けられていることを特徴とする。
本発明による天板構造によれば、天板の裏面で前框と裏貼り部との間隙に接着剤を充填して接着剤層を形成することで、接着剤層によって前框を天板と裏貼り部に強固に固定できると共に、天板と前框の接合部の背面に厚みのある接着材層を設けたことで耐水性能が向上する。しかも、接着材層の部位の研磨仕上げを不要にできる。また、前框は裏貼り部と接着剤層を介して縁切りしたため、裏貼り部の形状や取り付け位置の誤差に影響されることなく、前框を天板に対して正確に固定できる。
また、天板と前框がセラミック等の高硬度材料からなっていても、これら天板と前框に凹凸加工を施したりせず表面に塗布した接着剤による接合によらず、高い強度に固定できる。
【００１０】
しかも、接着剤層は、間隙に加えて、前框の背面と天板に当接する接合面との角部を一部切除してなる切除部にも設けられていることを特徴とする。
間隙に接着剤を充填する際に前框の背面の上部角部にテーパ部等の切除部を設けたため、切除部にも接着剤を充填することができて、前框と天板の接合強度をより高く設定できる。そのため、前框と天板がセラミック等の高硬度材料であっても高強度に固定できる。
【００１１】
本発明による天板構造の製造方法は、天板の前端と面一または前記天板の前端より引っ込められた位置で前記天板の平面状に形成された裏面に前框を接着剤で接着する工程と、前框の背面側に間隙を開けて裏貼り部を天板の裏面に接着する工程と、間隙に接着剤を充填して前框と天板と裏貼り部を固定する接着剤層を形成する工程と、前框の背面と裏貼り部とに前見付け部を接着して前記間隙の接着剤層を覆う工程と、を備え、前記前框の背面と前記天板に当接する接合面との角部を予め切除してなる切除部が前記間隙と一体に形成されていて、前記切除部にも前記接着剤層の接着剤が充填されていることを特徴とする。
本発明によれば、天板の裏面に前框を接着して前框の背面に間隙を開けて裏貼り部を固定した後で、間隙に接着剤を充填して接着剤層を形成することによって、前框と天板を強固に固定できる。また、前框の背面と裏貼り部とに前見付け部を接着することで接着剤層を覆うことができ、しかも前見付け部を化粧材として露出して使用できる。
【００１２】
しかも、前框は、前框の背面と天板に当接する接合面との角部を予め切除してなる切除部を間隙と一体に形成していることを特徴とする。
【発明の効果】
【００１３】
本発明による天板構造とその製造方法によれば、間隙に充填した接着剤層によって前框を天板と裏貼り部に強固に固定できると共に接着剤の部位の研磨仕上げを不要にできる。しかも、天板と前框の接合部の背面に厚みのある接着材層を設けたことで水の侵入を防いで耐水性能が向上する。
また、前框は裏貼り部とは接着剤層の間隙を介して縁切りしたため、裏貼り部の形状誤差や取り付け誤差等に影響されることなく、前框を天板に対して正確に固定できる。
【図面の簡単な説明】
【００１４】
【図１】本発明の実施形態による流し台の天板構造を示す要部斜視図である。
【図２】図１に示す流し台の天板構造のＡ−Ａ線縦断面図である。
【図３】図２に示す天板と前框の部分のＢ部拡大図である。
【図４】（ａ）、（ｂ）、（ｃ）、（ｄ）は天板構造の製造工程を示す断面図である。
【発明を実施するための形態】
【００１５】
以下、本発明の実施形態による流し台、例えばシステムキッチン等の流し台１の天板構造を図１乃至図４に基づいて説明する。
図１に示す実施形態によるシステムキッチン等における流し台１は、例えば箱形のキャビネット２の上部に天板（ワークトップカウンター）３を備えたものである。天板３は高硬度材料、例えばセラミックからなるものであり、その一部領域には調理器具等を洗うための凹部形状のシンク４を備え、シンク４の近傍には図示しない水栓を取り付けている。天板３の奥側（背面側）には上方に起立するバックガード５が固定されている。なお、天板３にシンク４を設けなくてもよい。
【００１６】
また、図２及び図３に示す流し台１の天板構造１４において、天板３の裏面側には例えば木材からなる補強板として裏貼り部７が固定されている。天板３のバックガード５に対向する位置で作業者が立って調理や洗浄等の作業を行う側の面を前面とし、バックガード５側の面を後面とし、その両側を側面とする。なお、天板３は図１に示すように前面側と後面側が長辺をなし、これに直交する側面側が短辺をなす略長方形板状に形成されている。
【００１７】
裏貼り部７の前面には間隙８を介して前框９が固定されている。本実施形態では、前框９は天板３の前端から若干後方、即ち裏貼り部７側に引込められたオーバーハング位置で天板３に直交して固定されているが、天板３の前端と面一に固定されていてもよい。
前框９は天板３と同様に高硬度材料のセラミック製であり、天板３との接合面９ａと間隙８に面する背面９ｂとの間の上部角部を予め斜めに切除してテーパー部１０を形成している。テーパー部１０の空間は間隙８と一体の空間を構成している。高硬度なセラミック製の前框９にテーパー部１０を予め形成するには、例えばウォータージェットを噴出して前框９の上部角部を切削加工することで得られる。
【００１８】
また、前框９の背面と裏貼り部７の下面には化粧材として前見付け部１２が固定されており、前見付け部１２によって前框９と裏貼り部７との間の間隙８を覆っている。そして、間隙８内には例えばエポキシ樹脂等からなる接着剤が充填されて固化されることで所定厚みの接着剤層Ｓを構成しており、これによって天板３と前框９と裏貼り部７とを堅固に固定している。なお、間隙８の幅は前框９と裏貼り部７とを接着剤を塗布することで固定する場合より大きな幅とする。
そして、前見付け部１２によって接着剤層Ｓを外部から見えないように覆っている。天板３と前框９を備えたこれらの部材は天板構造１４を構成する。
【００１９】
本実施形態による流し台１の天板構造１４は上述した構成を備えており、次に天板構造１４の製造方法について図４に基づいて説明する。
図４（ａ）において、セラミック製の天板３に対して前面側から若干引込められた位置にセラミック製の前框９を瞬間接着剤で天板３に垂直に仮固定する。次に、前框９の背面側で所定の間隙８を開けて裏貼り部７を接着剤で天板３に接着する。本実施形態では、裏貼り部７は天板３のほぼ全面に配設されていてセラミック製の天板３を支持・補強する。
【００２０】
こうして、前框９と裏貼り部７との間に間隙８として水平方向に細長い溝を形成し、この間隙８内にエポキシ樹脂からなる接着剤を充填させる。エポキシ樹脂からなる接着剤は粘性があるために前框９と天板３との角部に隙間なく充填されにくいが、前框９の背面９ｂと接合面９ａとの間の上部角部を切除してテーパー部１０を形成しているために、テーパー部１０にまで接着剤が良く流入して充填できる。そのため、セラミック製の天板３と前框９とを所定厚みの接着剤層Ｓによって強固に固着できる。
そして、最後に前見付け部１２の化粧材を裏貼り部７と前框９の背面９ｂとに当接させて接着剤で張り付けて固定する。こうして天板構造１４の組立を完了できる。
【００２１】
上述のように本実施形態による流し台１の天板構造１４とその製造方法によれば、高硬度材料であるセラミック製の天板３と前框９を裏貼り部７との間に形成した所定厚みの接着剤層Ｓによって強固に固定できる。しかも、前框９の上部角部に形成したテーパー部１０に粘性の高い接着剤が侵入する接着剤溜まりを形成して間隙８の接着剤層Ｓと一体に形成したため、天板３と前框９の接着強度が高い。
また、接着剤は天板３と前框９の隙間からはみ出ることがなく、接着部位の研磨仕上げが不要であると共に、天板３と前框９の接合部の裏面に所定厚みの接着剤層Ｓを形成したから前框９側からの水の侵入を防いで耐水性が高い。
【００２２】
また、天板３に対して後方にセットバックした位置に前框９を固定するため、天板３と前框９を位置合わせする際に接着剤層Ｓによって天板３と前框９の位置合わせの寸法バラツキを吸収させることができる。
しかも、裏貼り部７の前面に接着剤を塗布して前框９を接着すると裏貼り部７の形状誤差や取り付け誤差等によって前框９が斜めに傾斜したり位置ずれしたりするおそれがあるが、接着剤層Ｓによって裏貼り部７と縁切りして前框９を治具等を用いて天板３に垂直に取り付けることができて、意匠性に優れている。
【００２３】
なお、本発明による流し台１の天板構造１４は、上述した実施形態に限定されるものではなく、本発明の要旨を逸脱しない範囲で適宜の変更や置換等が可能である。以下に、本発明の変形例について説明するが、上述した実施形態で説明した部品や部材等と同一または同様なものについては同一の符号を用いて説明する。
【００２４】
上述した実施形態では、前框９の天板３との接合面９ａの角部を切除してテーパー部１０を形成して天板３と前框９との接合性を高くしたが、テーパー部１０は必ずしも形成する必要はない。この場合でも間隙８は前框９と裏貼り部７とを縁切りするに十分な隙間を有しており、この間隙８に接着剤を充填して接着剤層Ｓを形成したから前框９と天板３との接合強度は十分高い。
なお、間隙８における接着剤を充填する前框９の上部角部に関し、面取り状のテーパー部１０に代えて他の切除形状、例えば断面Ｒ状に切除して丸ホーニング形状にしてもよいし、階段状に段付き形状に切除してもよく、これらはテーパー部１０を含めて切除部を構成する。また、前框９だけでなく、裏貼り部７の間隙８に面する上部角部にも切除部を形成して接着剤を充填させてもよい。
【００２５】
また、本発明における天板３や前框９を形成する高硬度材料として実施形態ではセラミック製のものを用いたが、本発明は実施形態に限定されるものではなく、互いに嵌合可能な凹部や凸部のような加工が困難な高硬度材料であれば他の材料からなる天板や前框であっても適用可能であり、例えば天然大理石等の石材を用いてもよい。
【００２６】
また、本発明による天板構造は、天板や前框が高硬度材料でなくてもよく、人造大理石や人工大理石等の材料やその他の材料であっても本発明を適用できる。即ち、本発明による天板構造は、凹凸嵌合部を形成することなく、また薄層の接着剤塗布によっては得られない高い接着強度を、天板と前框と裏貼り部との間の接着剤層Ｓによって得ることができる。
【符号の説明】
【００２７】
１  流し台
３  天板
７  裏貼り部
８  間隙
９  前框
１０  テーパー部
１２  前見付け部
Ｓ  接着剤層
【図１】
0006553352.tif 000002
【図２】
0006553352.tif 000003
【図３】
0006553352.tif 000004
【図４】
0006553352.tif 000005